(57)【要約】【課題】コストの増加及び複雑な制御を招くことなく、モノクロプリントの印刷速度を向上させる画像形成装置及びスキャナユニットを提供する。【解決手段】本画像形成装置は、複数のレーザビーム照射手段と、複数の感光体に静電潜像を形成するために、複数のレーザビーム照射手段からのレーザビームを偏向して各感光体の主走査方向へ走査させる第１偏向手段と、１つの感光体に静電潜像を形成するために、１つのレーザビーム照射手段からのレーザビームを偏向して１つの感光体の主走査方向へ走査させる、第１偏向手段よりもサイズの小さい第２偏向手段とを備える。【選択図】図１
2009058911.tif 000002
【特許請求の範囲】
【請求項１】
画像形成装置であって、
各色成分に対応するレーザビームを照射する複数のレーザビーム照射手段と、
複数の感光体に静電潜像を形成するために、前記複数のレーザビーム照射手段のうち、２以上のレーザビーム照射手段からのレーザビームを、偏向して各感光体の主走査方向へ走査させる第１偏向手段と、
１つの感光体に静電潜像を形成するために、前記２以上のレーザビーム照射手段とは異なる１つのレーザビーム照射手段からのレーザビームを、偏向して該１つの感光体の主走査方向へ走査させる、前記第１偏向手段よりもサイズの小さい第２偏向手段と
を備えることを特徴とする画像形成装置。
【請求項２】
前記第２偏向手段に対してレーザビームを照射するレーザビーム照射手段は、他のレーザビーム照射手段と比較して光源数が多いことを特徴とする請求項１に記載の画像形成装置。
【請求項３】
前記第１及び第２偏向手段は、レーザビームを偏向するための回転多面鏡であって、
前記画像形成装置は、前記回転多面鏡を回転させる回転制御手段をさらに備え、
前記回転制御手段は、
前記第１偏向手段の回転多面鏡の回転速度よりも、前記第２偏向手段の回転多面鏡の回転速度を速く制御することを特徴とする請求項１又は２に記載の画像形成装置。
【請求項４】
前記第２偏向手段である回転多面鏡の面数は、前記第１偏向手段である回転多面鏡の面数よりも多いことを特徴とする請求項３に記載の画像形成装置。
【請求項５】
レーザビームを照射する複数のレーザビーム照射手段と、
前記複数のレーザビーム照射手段のうち、２以上のレーザビーム照射手段からのレーザビームを偏向する第１偏向手段と、
前記２以上のレーザビーム照射手段とは異なる１つのレーザビーム照射手段からのレーザビームを偏向し、前記第１偏向手段よりもサイズの小さい第２偏向手段と
を備えることを特徴とするスキャナユニット。
【発明の詳細な説明】
【技術分野】
【０００１】
本発明は、電子写真プロセスを用いた画像形成装置に関し、特に複数のレーザビームを用いて異なる色画像を形成する画像形成装置及びスキャナユニットに関するものである。
【背景技術】
【０００２】
電子写真方式を用いた画像形成装置では、画像信号によって変調されたレーザビームが回転多面鏡を有するスキャナによって反射され、感光体上を走査することによって画像形成が行われている。感光体はドラム状のものが多用され、感光ドラムと呼ばれている。この方式をカラーレーザプリンタに応用する場合、色の異なる（例えば、イエロー（Ｙ）、マゼンタ（Ｍ）、シアン（Ｃ）、ブラック（ＢＫ）の４色）複数の画像を重ね合わせることによって、カラー画像を記録紙上に形成している。この重ねあわせ技術を達成するための構成には次のようなものがある。
【０００３】
複数の画像信号に対して同数の感光ドラムが備えられ、それぞれの色画像信号に対して１対１に対応する感光ドラムに潜像が形成される。感光ドラム上の潜像は、それぞれ異なる色の現像剤を用いて可視化現像が行われ、記録紙に順次転写される。このような画像形成装置では、１つの画像信号に対して１つのレーザ、１つのスキャナ、レーザの画像書き出しタイミングを検知するための１つのＢＤ（ＢｅａｍＤｅｔｅｃｔ）センサ及び１つの感光ドラムが備えられる。したがって、重ねあわせるべき画像信号が複数ある場合は画像信号と同数のレーザ、スキャナ、感光ドラム及びＢＤセンサが必要となる。
【０００４】
特許文献１には、複数色に対して共通のスキャナを用い、複数の画像信号に対して同数の感光ドラムを具備し、それぞれの色画像信号に対して１対１に対応する感光ドラムに潜像を形成する画像形成装置が提案されている。この画像形成装置には、１つの回転多面鏡に対して２つのレーザを走査する方式が採用されている。
【特許文献１】特公平０４−５１８２９号公報
【発明の開示】
【発明が解決しようとする課題】
【０００５】
上述のような画像形成装置において、使用頻度の高いモノクロプリントの印刷速度を向上させる提案が成されている。例えば、モノクロプリント時の印刷速度を速くするために、ブラックステーションに２つの光源を備える２ビームレーザを設けた画像形成装置が考えられる。さらに、ブラックのレーザビームが走査される回転多面鏡の回転速度を上げることで、モノクロプリント時の印刷速度を向上することができる。なお、回転速度を上げるためには、当該回転多面鏡を小型化する必要がある。
【０００６】
しかしながら、複数のレーザビームを１つの回転多面鏡で走査させる場合、例えば、２つのレーザビームを該回転多面鏡の異なる面で走査させると、複数のＢＤセンサが必要となるためコストアップとなってしまう。一方、複数のレーザビームを回転多面鏡の同一の面で走査させれば、複数のレーザビームが同期しているためＢＤセンサは１つでよい。しかし、複数のレーザビームを回転多面鏡の同一の面で走査させる場合、当該回転多面鏡を厚くする必要があり、小型化が困難となるため、印刷速度を十分に向上させることができない。
【０００７】
また、回転多面鏡の面数を増やすことで、モノクロプリントの印刷速度を向上させる方法も考えられる。しかし、当該回転多面鏡で走査されるレーザビームは、他の回転多面鏡で走査されるレーザビームよりも複雑な制御が必要となる。
【０００８】
本発明は、上述の問題に鑑みて成されたものであり、コストの増加及び複雑な制御を招くことなく、モノクロプリントの印刷速度を向上させる画像形成装置及びスキャナユニットを提供することを目的とする。
【課題を解決するための手段】
【０００９】
本発明は、例えば、画像形成装置として実現できる。画像形成装置は、各色成分に対応するレーザビームを照射する複数のレーザビーム照射手段と、複数の感光体に静電潜像を形成するために、複数のレーザビーム照射手段のうち、２以上のレーザビーム照射手段からのレーザビームを、偏向して各感光体の主走査方向へ走査させる第１偏向手段と、１つの感光体に静電潜像を形成するために、２以上のレーザビーム照射手段とは異なる１つのレーザビーム照射手段からのレーザビームを、偏向して１つの感光体の主走査方向へ走査させる、第１偏向手段よりもサイズの小さい第２偏向手段とを備えることを特徴とする。
【００１０】
また、本発明は、例えば、スキャナユニットとして実現できる。スキャナユニットは、レーザビームを照射する複数のレーザビーム照射手段と、複数のレーザビーム照射手段のうち、２以上のレーザビーム照射手段からのレーザビームを偏向する第１偏向手段と、２以上のレーザビーム照射手段とは異なる１つのレーザビーム照射手段からのレーザビームを偏向し、第１偏向手段よりもサイズの小さい第２偏向手段とを備えることを特徴とする。
【発明の効果】
【００１１】
本発明は、例えば、コストの増加及び複雑な制御を招くことなく、モノクロプリントの印刷速度を向上させる画像形成装置及びスキャナユニットを提供できる。
【発明を実施するための最良の形態】
【００１２】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１３】
［第１の実施形態］
＜プリンタの構成＞
以下では、図１乃至図３を参照して、第１の実施形態について説明する。図１は、第１の実施形態に係る画像形成装置の構成例を示す図である。ここでは、画像形成装置としてカラーレーザプリンタ（以下、プリンタと称す。）を例に説明する。
【００１４】
１００は、プリンタを示す。１３０は、プリンタ１００にＬＡＮ等のネットワークを介して接続されたホストコンピュータを示す。プリンタ１００は、４ドラム方式のカラーレーザプリンタである。即ち、プリンタ１００は、４色（イエロー：Ｙ、マゼンタ：Ｍ、シアン：Ｃ、ブラック：ＢＫ）の画像を重ねあわせた多色画像を形成するために４色の画像形成部を備える。画像形成部は、感光ドラム１０１、１０２、１０３、１０４、帯電ローラ１０５、１０６、１０７、１０８及び現像器１０９、１１０、１１１、１１２を備えるトナーカートリッジ１２１、１２２、１２３、１２４と、スキャナユニット１２５、１２６とを備える。
【００１５】
帯電ローラ（１０５〜１０８）は、感光ドラム（１０１〜１０４）を一様に帯電させる。感光体である感光ドラム（１０１〜１０４）は、それぞれ１０１はブラック、１０２はシアン、１０３はマゼンタ、１０４はイエローの画像形成に利用される。また、感光ドラム（１０１〜１０４）は、図示しないドラムモータによって一定速度で矢印方向に回転する。感光ドラム（１０１〜１０４）は、帯電ローラ（１０５〜１０８）によって一様に帯電された後に、スキャナユニット１２５、１２６によって露光されることにより表面に静電潜像が形成される。現像器（１０９〜１１２）は、感光ドラム（１０１〜１０４）上に形成された静電潜像を各色のトナーを用いて現像する。
【００１６】
スキャナユニット１２５、１２６は、感光ドラム（１０１〜１０４）に対してレーザビームを照射することにより、感光ドラム（１０１〜１０４）上に静電潜像を形成する。ここで、本実施形態によれば、スキャナユニット１２５は、ブラックの画像形成部に備えられる１つの感光ドラム１０１に対して露光を行う。一方、スキャナユニット１２６は、イエロー、マゼンダ、シアンの画像形成部に備えられる３つの感光ドラム１０２、１０３、１０４に対して同時に露光を行う。したがって、モノクロプリント時には、スキャナユニット１２５のみが使用され、カラープリント時にはスキャナユニット１２５及びスキャナユニット１２６が使用される。スキャナユニット１２５、１２６の詳細については、図２及び図３を用いて後述する。
【００１７】
また、プリンタ１００は、カセット１１４、給紙ローラ１１６、レジストローラ１１９、転写ローラ１１８、定着器１１３、中間転写ベルト１２０、排紙トレイ１１７、ビデオコントローラ１２９及びエンジンコントローラ１２７をさらに備える。以下では、これらの構成要素の動作を説明するとともに、プリンタ１００の画像形成動作についての概要を説明する。
【００１８】
まずビデオコントローラ１２９がホストコンピュータ１３０から画像データを受信する。ビデオコントローラ１２９は、受信した画像データをビットマップデータに展開し、画像形成用のビデオ信号を生成する。さらに、ビデオコントローラ１２９は、生成したビデオ信号を、エンジンコントローラ１２７を介してスキャナユニット１２５、１２６に送信する。
【００１９】
ビデオ信号が入力されると、スキャナユニット１２５、１２６は、ビデオ信号に従ってレーザダイオード（不図示）を駆動し、トナーカートリッジ（１２１〜１２４）内の感光ドラム（１０１〜１０４）上にそれぞれ静電潜像を形成する。感光ドラム（１０１〜１０４）上に形成された静電潜像は、上述したように現像器（１０９〜１１２）によって現像される。
【００２０】
なお、感光ドラム（１０１〜１０４）は、中間転写ベルト１２０に接している。そのため、各色の感光ドラム上に形成されたトナー像は、中間転写ベルト１２０上に順次重ねて転写される。これにより、多色画像が形成される。具体的に、感光ドラム（１０１〜１０４）に形成されたトナー像は、最初にイエロー（Ｙ）のトナー像が中間転写ベルト１２０に転写され、その上に、マゼンタ（Ｍ）、シアン（Ｃ）、ブラック（ＢＫ）のトナー像が順に転写される。この中間転写ベルト１２０上に形成された多色画像は、転写ローラ１１８の位置で記録紙に転写される。
【００２１】
記録紙は、カセット１１４内に積載され、画像形成に合わせて給紙ローラ１１６によって１枚ずつ装置内に供給される。まず、供給された記録紙は、レジストローラ１１９まで搬送され一時停止される。その後、中間転写ベルト１２０上に形成された多色画像が転写ローラ１１８の位置に到着するタイミングに合わせて、レジストローラ１１９によって再び搬送が開始される。中間転写ベルト１２０上に形成された多色画像は転写ローラ１１８によって中間転写ベルト１２０から記録紙に転写される。多色画像が転写された記録紙は定着器１１３に搬送され、当該定着器１１３によって加熱、加圧されることにより、多色画像が定着される。その後、記録紙は、排紙トレイ１１７に排出される。
【００２２】
＜スキャナユニットの構成＞
ここでは、図２及び図３を参照して、スキャナユニット１２５、１２６の構成について説明する。図２は、第１の実施形態に係るスキャナユニット１２５の構成を示す斜視図である。なお、以下で説明するスキャナユニット１２５、１２６は、本発明を説明する上で重要となる構成要素のみを備えるように記載されるが、この構成に限定するわけではなく、他の構成要素を含んで構成されてもよい。
【００２３】
スキャナユニット１２５は、図２に示すように、ブラックのトナー像を形成するための感光ドラム１０１に対してのみレーザビームを照射する。スキャナユニット１２５は、レーザダイオード２０１、第２偏向手段として機能する回転多面鏡２０２、ＢＤ（ＢｅａｍＤｅｔｅｃｔ）センサ２０３、折り返しミラー２０４及びモータ（不図示）を備える。
【００２４】
レーザダイオード２０１は、レーザビーム照射手段として機能し、ビデオコントローラ１２９で生成されたビデオ信号に従って感光ドラム１０１上を走査するためのレーザビームを発生させる。回転多面鏡２０２は、モータから伝達される回転力によって、矢印Ａの方向に一定速度で回転し、レーザダイオード２０１から照射されるレーザビームを反射させて偏向する。モータは、エンジンコントローラ１２７に接続され、エンジンコントローラ１２７からの速度制御信号である加速信号と減速信号によって一定の回転速度となるように制御される。ここで、エンジンコントローラ１２７は、回転制御手段として機能する。エンジンコントローラ１２７は、モノクロプリント時において、回転多面鏡２０２の回転速度を後述する回転多面鏡２１４の通常の回転速度よりも速く制御してもよい。
【００２５】
回転多面鏡２０２によって偏向されたレーザビームは、ＢＤセンサ２０３又は折り返しミラー２０４に入射される。ＢＤセンサ２０３は、レーザダイオード２０１の走査路上に配置され、レーザビームが入射されると、水平同期信号を生成するための信号を発生する光センサである。通常、ビデオコントローラ１２９は、ＢＤセンサ２０３の出力信号を検知してから所定時間経過後に、ビデオ信号をエンジンコントローラ１２７に対して送信する。これにより、感光ドラム１０１上において、レーザビームによる画像の主走査の書き出し位置が常に一致する。
【００２６】
折り返しミラー２０４は、回転多面鏡２０２を介して入射されたレーザビームをさらに反射して、感光ドラム１０１に入射させる。したがって、レーザダイオード２０１から照射されたレーザビームは、回転多面鏡２０２により偏向されながら走査され、折り返しミラー２０４でさらに偏向され、感光ドラム１０１上を矢印２１０方向に走査する。なお、実際には、レーザビームは、感光ドラム１０１上に焦点をあわせる為、又はレーザビームを拡散光から平行光に変換する為、不図示の各種レンズ群を経由する。このようにして、ブラック用の静電潜像が感光ドラム１０１上に形成される。
【００２７】
本実施形態によれば、回転多面鏡２０２は、後述する回転多面鏡２１４と比較して、厚さを薄くすることができる。これは、回転多面鏡２１４がイエロー、マゼンダ、シアン用の２以上（ここでは、３つとなる。）のレーザビームを偏向させることに対して、回転多面鏡２０２がブラック用の１つのレーザビームのみを偏向するためである。したがって、回転多面鏡２０２は、回転多面鏡２１４と比較して、小型化する（サイズを小さくする）ことが可能である。これにより、回転多面鏡２０２の回転速度を容易に向上させることができ、単一色を用いたモノクロプリントの印刷速度を向上させることができる。
【００２８】
図３は、第１の実施形態に係るスキャナユニット１２６の構成を示す斜視図である。スキャナユニット１２６は、図３に示すように、イエロー、マゼンダ、シアンのトナー像を形成するための複数の感光ドラム１０２、１０３、１０４に対してレーザビームを照射する。
【００２９】
スキャナユニット１２６は、レーザダイオード２１１、２１２、２１３、回転多面鏡２１４、ＢＤセンサ２１５、折り返しミラー２１６、２１７、２１８及び不図示のモータを備える。レーザダイオード２１１、２１２、２１３は、各色成分に対応し、ビデオコントローラ１２９で生成されたビデオ信号に従って感光ドラム１０２、１０３、１０４上を走査する。
【００３０】
回転多面鏡２１４は、第１偏向手段として機能し、モータによって矢印Ｂの方向に一定速度で回転し、複数のレーザダイオードのうち、２以上のレーザダイオード２１１、２１２、２１３から照射されるレーザビームを反射しながら偏向する。上述のモータはエンジンコントローラ１２７からの速度制御信号である加速信号と減速信号で一定速度になるように制御されて回転する。
【００３１】
ＢＤセンサ２１５は、レーザダイオード２１１、２１２、２１３の何れかの走査路上にあって、水平同期信号を生成するためのＢＤセンサである。レーザダイオード２１１、レーザダイオード２１２及びレーザダイオード２１３は同期しているため、図３に示すようにＢＤセンサは１つでよい。
【００３２】
折り返しミラー２１６、２１７、２１８は、回転多面鏡２１４を介して入射されたレーザビームをさらに反射して、感光ドラム１０２、１０３、１０４に入射させる。したがって、レーザダイオード２１１から照射されたレーザビームは、回転多面鏡２１４により偏向されながら走査され、折り返しミラー２１６でさらに偏向され、感光ドラム１０２上を矢印２２１方向に走査する。また、レーザダイオード２１２から照射されたレーザビームは、回転多面鏡２１４により偏向されながら走査され、折り返しミラー２１７でさらに偏向され、感光ドラム１０３上を矢印２２２方向に走査する。さらに、レーザダイオード２１３から照射されたレーザビームは、回転多面鏡２１４により偏向されながら走査され、折り返しミラー２１８でさらに偏向され、感光ドラム１０４上を矢印２２３方向に走査する。なお、実際には、レーザビームは、感光ドラム１０２、１０３、１０４上に焦点をあわせる為、又はレーザビームを拡散光から平行光に変換する為、不図示の各種レンズ群を経由する。このようにして、ブラック用の静電潜像が感光ドラム１０１上に形成される。
【００３３】
以上説明したように、本実施形態に係る画像形成装置は、複数のレーザビームを偏向して複数の感光ドラムの主走査方向へ走査させる第１回転多面鏡と、１つのレーザビームを偏向して１つの感光ドラムの主走査方向へ走査させる第２回転多面鏡とを備える。さらに、第２回転多面鏡は、第１回転多面鏡よりも厚さを薄くすることができ、小型化されて設けられる。これにより、本画像形成装置は、第２回転多面鏡の回転速度を容易に増大させることができ、第２回転多面鏡のみを用いた画像形成、即ち、モノクロプリントの印刷速度を向上させうる。また、第１回転多面鏡と第２回転多面鏡とを別構成として設けているため、カラー画像の形成において悪影響を与えることなく、従来からの印刷速度を維持することができる。また、モノクロプリントの印刷速度を向上させるために、本実施形態では単色のトナー像の形成において２以上のレーザダイオードを設ける必要がないため、コストの増加を抑制する効果が得られる。
【００３４】
なお、本発明は、上述の実施形態に限らず様々な変形が可能である。例えば、本実施形態では、１ポリゴン１ステーションと１ポリゴン３ステーションの組み合わせについて説明したが、１ポリゴン１ステーション２つと１ポリゴン２ステーション１つの組み合わせにも適用可能である。
【００３５】
［第２の実施形態］
次に、図４を参照して、第２の実施形態について説明する。本実施形態は、第１の実施形態の構成から、さらに、ブラック用の静電潜像を形成するためのレーザビームを増加させた構成について説明する。なお、第１の実施形態と同一の構成については、同一の番号を付し、説明を省略する。図４は、第２の実施形態に係るスキャナユニット１２５の構成を示す斜視図である。
【００３６】
図４に示すように、本実施形態に係るスキャナユニット１２５は、第１の実施形態で説明したレーザダイオード２０１に代えて、レーザダイオード４０１を備える。レーザダイオード４０１は、２ビームレーザを備え、同時に２つのレーザビーム４０２、４０３を発生させる。即ち、レーザダイオード４０１は、他のレーザダイオード２１１、２１２、２１３と比較して光源数が多いことを特徴とする。したがって、イエロー、マゼンダ、シアンのレーザビームが１ライン走査される間に、ブラックのレーザビームは２ライン分走査されることとなる。そのため、本実施形態に係るブラックのレーザビーム４０２、４０３は、他の色のレーザビームの２倍の速さで感光ドラム上の主走査方向へ走査される。これにより、カラープリントの印刷速度を維持しつつ、モノクロプリントの印刷速度を２倍にすることができる。
【００３７】
また、本実施形態は、第１の実施形態と組み合わせて用いられてもよいし、単独で用いられてもよい。第１の実施形態と組み合わせた場合は、さらに、モノクロプリントの印刷速度を向上させる効果が得られる。一方、単独で使用した場合には、２つの回転多面鏡の回転速度が同じでよいため、回転多面鏡を回転させるモータを一体化させることができ、コスト効果が得られる。また、本実施形態では、２ビームレーザについて説明したが、３ビーム以上の構成についても適用可能である。
【００３８】
［第３の実施形態］
次に、図５を参照して、第３の実施形態について説明する。本実施形態は、ブラック用のレーザビームを感光ドラム１０１に照射するために用いられる回転多面鏡の面数を回転多面鏡２１４の面数より増加させたことを特徴とする。なお、第１の実施形態と同一の構成については、同一の番号を付し、説明を省略する。図５は、第３の実施形態に係る回転多面鏡５０１、２１４の概要を示す図である。
【００３９】
図５に示すように、本実施形態に係るブラック用のレーザビームを感光ドラム１０１に照射するために用いられる回転多面鏡５０１は、８つの面を有する。一方、回転多面鏡２１４は、４つの面を有する。
【００４０】
このようなに、モノクロプリントに使用される回転多面鏡５０１の面数を増加させることによって当該モノクロプリントの印刷速度を向上させることができる。例えば、２つの回転多面鏡５０１、２１４の回転速度が同じであると想定する。この場合、面数が８である回転多面鏡５０１は、１回転する間にレーザビームを８ライン分走査することができる。一方、面数が４である回転多面鏡２１４は、１回転する間にレーザビームを４ライン分走査することができる。
【００４１】
したがって、回転多面鏡５０１をブラック用のレーザビームのために用い、回転多面鏡２１４を他の色用のレーザビームのために用いた場合、ブラック用のレーザビームは、他の色用のレーザビームより２倍の速度で感光ドラムを走査することができる。即ち、ブラック用のレーザビームは、他の色用のレーザビームと比較して、感光ドラム上の主走査方向への走査が２倍の速度となる。これにより、本実施形態に係るプリンタ１００は、カラープリントの印刷速度を維持しつつ、モノクロプリントの印刷速度を速くすることが可能である。
【００４２】
また、本実施形態は、第１の実施形態及び第２の実施形態の少なくとも一方と組み合わせて用いられてもよいし、単独で用いられてもよい。組み合わせた場合は、さらに、モノクロプリントの印刷速度を向上させる効果が得られる。一方、単独で使用した場合には、２つの回転多面鏡の回転速度が同じでよいため、回転多面鏡を回転させるモータを一体化させることができ、コスト効果が得られる。また、本実施形態では回転多面鏡の面数が８と４の場合について説明したが、面数がｍとｎ（ｍ＞ｎ、ｍ、ｎは自然数とする。）の構成であれば適用可能である。
【図面の簡単な説明】
【００４３】
【図１】第１の実施形態に係る画像形成装置の構成例を示す図である。
【図２】第１の実施形態に係るスキャナユニット１２５の構成を示す斜視図である。
【図３】第１の実施形態に係るスキャナユニット１２６の構成を示す斜視図である。
【図４】第２の実施形態に係るスキャナユニット１２５の構成を示す斜視図である。
【図５】第３の実施形態に係る回転多面鏡５０１、２１４の概要を示す図である。
【符号の説明】
【００４４】
１００：プリンタ
１０１、１０２、１０３、１０４：感光ドラム
１２５、１２６：スキャナユニット
１２７：エンジンコントローラ
【図１】
2009058911.tif 000003
【図２】
2009058911.tif 000004
【図３】
2009058911.tif 000005
【図４】
2009058911.tif 000006
【図５】
2009058911.tif 000007